(57)【特許請求の範囲】
【請求項１】
前側に開口部を有し、且つ両側面のそれぞれに係止部を有する保持部材と、
前記保持部材内に保持される反射傘と、
前記保持部材の前記反射傘の前方に配置される光源と、
前記保持部材の前記開口部に配置される保護板と、
前記保護板の前方に配置される本体部と、前記係止部に係止される被係止部を備え且つ前記本体部の両側に、前記本体部に直交する又は前記本体部の中心側に傾斜するよう折り曲げられた折曲部とを有し、前記折曲部が広げられると前記本体部の中央が前記折曲部の折り曲げ方向側に突出変形するように弾性材料から形成される保護板支持部材と、
を備え、
前記保護板支持部材は、前記両折曲部が広げられた状態で前記被係止部のそれぞれを前記保持部材の両側面の前記係止部に係止されて、前記保持部材に固定されており、
前記保護板は、前記保持部材と前記保護板支持部材との間に配置されており、且つ前記両折曲部が広げられた状態で前記保持部材に固定されている前記保護板支持部材の前記本体部の前記中央の前記保護板側への前記突出変形により前記保持部材側に押圧されて、前記保持部材に保持されていることを特徴とする照明装置の発光部。
【請求項２】
請求項１記載の照明装置の発光部において、
前記保持部材の前記両側面を平行に形成するとともに、前記保護板支持部材の前記折曲部と前記本体部とのなす角度を９０度より小さい角度にしてなることを特徴とする照明装置の発光部。
【請求項３】
請求項１または請求項２記載の照明装置の発光部において、
前記保護板支持部材が、樹脂からなることを特徴とする照明装置の発光部。
【請求項４】
請求項３記載の照明装置の発光部において、
前記保持部材の前記両側面を平行に形成するとともに、前記保護板支持部材の前記折曲部と前記本体部とのなす角度を１０度以上で６０度以下の角度にしてなることを特徴とする照明装置の発光部。
【発明の詳細な説明】
【技術分野】
【０００１】
本発明は、カメラ用電子閃光装置等の照明装置の発光部に関する。
【背景技術】
【０００２】
従来、カメラの電子閃光装置として、例えば、特開平１０−１６１２０３号公報に開示されるものが知られている。この公報に開示される電子閃光装置では、発光部が、反射傘および光源を保持部材に保持して構成されている。そして、保持部材の前方に、フレネルレンズが直接配置されている。
一方、従来、電子閃光装置のケーシング内に発光部を移動可能に配置し、照射角を制御可能にしたものが知られている。そして、このような電子閃光装置では、発光部の移動等により発生する塵埃が反射傘，光源等に付着して燃焼するのを防止するため、保持部材の開口部を保護板により覆うことが行われている。
【０００３】
図５は、このような発光部を分解して示すもので、この発光部では、保持部材１１内に反射傘１３および放電管からなる光源１５が収容される。そして、保持部材１１の開口部１１ａに保護板１７が嵌合され、保護板１７が保護板支持部材１９により保持部材１１に保持される。また、保護板支持部材１９の前方には、フレネルレンズ２１が間隔を置いて配置される。
【特許文献１】特開平１０−１６１２０３号公報
【発明の開示】
【発明が解決しようとする課題】
【０００４】
しかしながら、従来の電子閃光装置の発光部では、保護板支持部材１９により保護板１７を保持部材１１に確実に保持することが困難であるという問題があった。
本発明者は、かかる従来の問題を解決すべく鋭意研究した結果、保護板１７を保持部材１１に確実に保持することができないのは、保護板支持部材１９が変形するためであることを見出した。
【０００５】
すなわち、図６に示すように、保護板支持部材１９は、保護板１７の前方に配置される本体部１９ａの両側に、折曲部１９ｂを直角に形成して構成されている。また、折曲部１９ｂの内側の間隔ａが、保持部材１１の両側面の間隔ｂより大きくされている。そして、図７に示すように、保持部材１１の両側面に折曲部１９ｂを位置させ、折曲部１９ｂの先端に形成される係合穴１９ｃ(図５に示す)を、保持部材１１の両側面１１ｄに形成される係止ピン１１ｂに係合することにより、保護板支持部材１９が保持部材１１に固定される。
【０００６】
しかしながら、固定を確実にするために、図６に示したように、係止ピン１１ｂの頭部１１ｃと側面１１ｄとの間隔ｃが、折曲部１９ｂの肉厚ｅと略同一の間隔に形成されている。従って、図７に示したように、折曲部１９ｂの先端に形成される係合穴１９ｃを、保持部材１１の両側面１１ｄに形成される係止ピン１１ｂに係合すると、保護板支持部材１９が図７に示したように変形し、保護板支持部材１９の本体部１９ａと保護板１７との間に微少な間隙ｄが生じ、保護板１７を保持部材１１に確実に保持することが困難になる。
【０００７】
本発明は、かかる知見に基づいてなされたもので、保護板支持部材により保護板を保持部材に確実に保持することができる照明装置の発光部を提供することを目的とする。
【課題を解決するための手段】
【０００８】
請求項１の照明装置の発光部は、前側に開口部を有し、且つ両側面のそれぞれに係止部を有する保持部材と、前記保持部材内に保持される反射傘と、前記保持部材の前記反射傘の前方に配置される光源と、前記保持部材の前記開口部に配置される保護板と、前記保護板の前方に配置される本体部と、前記係止部に係止される被係止部を備え且つ前記本体部の両側に、前記本体部に直交する又は前記本体部の中心側に傾斜するよう折り曲げられた折曲部とを有し、前記折曲部が広げられると前記本体部の中央が前記折曲部の折り曲げ方向側に突出変形するように弾性材料から形成される保護板支持部材と、を備え、前記保護板支持部材は、前記両折曲部が広げられた状態で前記被係止部のそれぞれを前記保持部材の両側面の前記係止部に係止されて、前記保持部材に固定されており、前記保護板は、前記保持部材と前記保護板支持部材との間に配置されており、且つ前記両折曲部が広げられた状態で前記保持部材に固定されている前記保護板支持部材の前記本体部の前記中央の前記保護板側への前記突出変形により前記保持部材側に押圧されて、前記保持部材に保持されていることを特徴とする。
【０００９】
請求項２の照明装置の発光部は、請求項１記載の照明装置の発光部において、前記保持部材の前記両側面を平行に形成するとともに、前記保護板支持部材の前記折曲部と前記本体部とのなす角度を９０度より小さい角度にしてなることを特徴とする。
したがって、保持部材の両側面が平行に形成されている場合にも、保護板支持部材の折曲部を広げた状態で保持部材の両側面に固定すると、本体部が保護板側に突出するように変形し、本体部により保護板が保持部材に押圧される。
【００１０】
請求項３の照明装置の発光部は、請求項１または請求項２記載の照明装置の発光部において、前記保護板支持部材が、樹脂からなることを特徴とする。
したがって、保護板支持部材に金属のような導電体を使用する場合に生ずるいわゆるトリガー飛びを防止することが可能になる。
【００１１】
請求項４の照明装置の発光部は、請求項３記載の照明装置の発光部において、前記保持部材の前記両側面を平行に形成するとともに、前記保護板支持部材の前記折曲部と前記本体部とのなす角度を１０度以上で６０度以下の角度にしてなることを特徴とする。
すなわち、折曲部と本体部とのなす角度が１０度未満の場合には、折曲部を広げた状態で保持部材の両側面に固定する時の作業性が低下する。一方、折曲部と本体部とのなす角度が６０度を超えると、折曲部を広げた状態で保持部材の両側面に固定した時の本体部の変形が小さくなり保護板を保持部材に確実に押圧することが困難になる。
【発明の効果】
【００１３】
請求項１の照明装置の発光部では、保護板支持部材を弾性材料で形成し、折曲部を広げた状態で保持部材の両側面に固定し、本体部の変形により保護板を保持部材に押圧するようにしたので、保護板支持部材により保護板を保持部材に確実に保持することができる。
請求項２の照明装置の発光部では、保護板支持部材の折曲部と本体部とのなす角度を９０度より小さい角度にしたので、保持部材の両側面を平行に形成することができる。
【００１４】
請求項３の照明装置の発光部では、保護板支持部材を樹脂により形成したので、いわゆるトリガー飛びを防止することができる。
請求項４の照明装置の発光部では、樹脂からなる保護板支持部材の折曲部と本体部とのなす角度を１０度以上で６０度以下の角度にしたので、保護板支持部材により保護板を保持部材に容易，確実に保持することができる。
【発明を実施するための最良の形態】
【００１５】
以下、本発明の実施形態を図面を用いて詳細に説明する。
図１および図２は、本発明の照明装置の発光部の一実施形態を示すもので、この実施形態では、本発明が電子閃光装置の発光部に適用されている。
この実施形態では、図１および図２に示すように、保持部材３１内に反射傘３３および光源３５が収容されている。そして、保持部材３１の開口部３１ａに保護板３７が嵌合され、保護板３７が保護板支持部材３９により保持されている。また、保護板支持部材３９の前方には、フレネルレンズ４１が間隔を置いて配置されている。
【００１６】
保持部材３１は、弾性を有する樹脂からなり、前側に矩形状の開口部３１ａが形成されている。開口部３１ａには、矩形状の凹部３１ｂが形成され、この凹部３１ｂに矩形状の保護板３７が嵌合されている。保持部材３１の内部には、反射傘３３用の座部３１ｃが形成されている。保持部材３１の両側面３１ｄには、キセノン管からなる光源３５の両端が挿通される切欠部３１ｅが形成されている。また、保持部材３１の両側面３１ｄには、上下に間隔を置いて一対の係止ピン３１ｆが形成されている。
【００１７】
この実施形態では、保護板３７は、透明の樹脂，ガラス等により形成されている。
また、保護板支持部材３９は、ポリカーボネイト(ＰＣ)，ポリエチレンテレフタレート(ＰＥＴ)等の樹脂により形成されている。
保護板支持部材３９は、保護板３７の前方に配置される矩形状の本体部３９ａの両側に、折曲部３９ｂを形成して構成されている。本体部３９ａには、矩形状の穴部３９ｃが形成されている。折曲部３９ｂの先端には、切欠部３９ｄを介して係合穴３９ｅが形成されている。この係合穴３９ｅは、保持部材３１の両側面３１ｄに形成される係止ピン３１ｆに係合される。
【００１８】
そして、この実施形態では、図３に示すように、保持部材３１の両側面３１ｄが平行に形成されている。また、保護板支持部材３９の折曲部３９ｂを内側に向けて折曲することにより、折曲部３９ｂと本体部３９ａとのなす角度θが９０度より小さい角度にされている。この折曲部３９ｂと本体部３９ａとのなす角度θは、１０度以上で６０度以下であることが望ましい。より好ましくは、２０度以上で４５度以下であることが望ましい。
【００１９】
そして、折曲部３９ｂの根元の間隔ａが、保持部材３１の両側面３１ｄの間隔ｂより大きくされている。また、係止ピン３１ｆの頭部３１ｈと側面３１ｄとの間隔ｃが、折曲部３９ｂの肉厚ｅと略同一の間隔に形成されている。
なお、この実施形態では、発光部４３は、図２に示したように、上ケーシング４５と下ケーシング４７とからなる電子閃光装置のケーシング４９の内部に、前後方向に移動可能に収容される。また、ケーシング４９の前側にフレネルレンズ４１が配置される。そして、ケーシング４９内の発光部４３の後側に、発光エネルギーを蓄えるメインコンデンサー５１が配置される。
【００２０】
上述した照明装置の発光部では、図４に示すように、保持部材３１の両側面３１ｄに、折曲部３９ｂを広げた状態で位置させ、折曲部３９ｂの先端に形成される係合穴３９ｅ(図１に示す)を、保持部材３１の両側面３１ｄに形成される係止ピン３１ｆに係合することにより、保護板支持部材３９が保持部材３１に固定される。
そして、保護板支持部材３９の折曲部３９ｂを広げた状態で保持部材３１の両側面３１ｄに固定すると、本体部３９ａの中央が保護板３７側に突出するように変形し、本体部３９ａにより保護板３７が保持部材３１に力Ｆで押圧される。
【００２１】
上述した照明装置の発光部では、保護板支持部材３９を弾性材料で形成し、折曲部３９ｂを広げた状態で保持部材３１の両側面３１ｄに固定し、本体部３９ａの変形により保護板３７を保持部材３１に押圧するようにしたので、保護板支持部材３９により保護板３７を保持部材３１に確実に保持することができる。
従って、発光部４３の移動等により発生した塵埃が、保護板３７と保持部材３１との間隙から保持部材３１内に侵入し、反射傘３３，光源３５等に付着して燃焼するのを有効に防止することが可能になり、発光部４３の信頼性を従来より大幅に向上することができる。
【００２２】
また、上述した照明装置の発光部では、保護板支持部材３９の折曲部３９ｂと本体部３９ａとのなす角度θを９０度より小さい角度θにしたので、保持部材３１の両側面３１ｄを平行に形成することができる。
さらに、保護板支持部材３９を樹脂により形成したので、保護板支持部材３９に金属のような導電体を使用する場合に生ずるいわゆるトリガー飛びを防止することができる。
【００２３】
また、上述した照明装置の発光部では、樹脂からなる保護板支持部材３９の折曲部３９ｂと本体部３９ａとのなす角度θを１０度以上で６０度以下の角度θにしたので、保護板支持部材３９により保護板３７を保持部材３１に容易，確実に保持することができる。
すなわち、折曲部３９ｂと本体部３９ａとのなす角度θが１０度未満の場合には、折曲部３９ｂを広げた状態で保持部材３１の両側面３１ｄに固定する時の作業性が低下するため好ましくない。一方、折曲部３９ｂと本体部３９ａとのなす角度θが６０度を超えると、折曲部３９ｂを広げた状態で保持部材３１の両側面３１ｄに固定した時の本体部３９ａの変形が小さくなり保護板３７を保持部材３１に確実に押圧することが困難になるため好ましくない。そして、折曲部３９ｂと本体部３９ａとのなす角度θは、２０度以上で４５度以下であることがより好ましいことが実験により確認されている。
【００２４】
なお、上述した実施形態では、保護板支持部材３９を樹脂により形成した例について説明したが、本発明はかかる実施形態に限定されるものではなく、例えば、ステンレス等の金属により形成しても良い。
また、上述した実施形態では、保護板支持部材３９の折曲部３９ｂを内側に折曲した例について説明したが、本発明はかかる実施形態に限定されるものではなく、例えば、保護板支持部材３９の折曲部３９ｂを直角にし、保持部材３１の両側面３１ｄを開口部３１ａから後ろ側に向けて広がるテーパ状に形成しても良い。
【００２５】
さらに、上述した実施形態では、保護板支持部材３９に穴部３９ｃを設けて枠状にした例について説明したが、本発明はかかる実施形態に限定されるものではなく、穴部３９ｃを設けることなく全体を透明に形成しても良い。
また、上述した実施形態では、光源３５にキセノン管からなる放電管を用いた電子閃光装置の発光部に本発明を適用した例について説明したが、本発明はかかる実施形態に限定されるものではなく、光源に常に発光している定常光源を用いても良い。また、光源に、例えば、ＬＥＤ等の発光体を使用しても良い。
【図面の簡単な説明】
【００２６】
【図１】本発明の照明装置の発光部の一実施形態を示す分解斜視図である。
【図２】図１の照明装置の発光部を組み立てた状態を示す側面図である。
【図３】図１の保護板支持部材と保持部材との関係を示す説明図である。
【図４】図３の保護板支持部材を保持部材に固定した状態を示す説明図である。
【図５】従来の電子閃光装置の発光部の一例を示す分解斜視図である。
【図６】図５の保護板支持部材と保持部材との関係を示す説明図である。
【図７】図６の保護板支持部材を保持部材に固定した状態を示す説明図である。
【符号の説明】
【００２７】
３１  保持部材
３１ａ  開口部
３１ｄ  側面
３３  反射傘
３５  光源
３７  保護板
３９  保護板支持部材
３９ａ  本体部
３９ｂ  折曲部
【図１】
0004617703.tif 000002
【図２】
0004617703.tif 000003
【図３】
0004617703.tif 000004
【図４】
0004617703.tif 000005
【図５】
0004617703.tif 000006
【図６】
0004617703.tif 000007
【図７】
0004617703.tif 000008